(57)【特許請求の範囲】
【請求項１】
複数の無線基地局を有する無線ネットワークのトラフィックの状態を示す状態データと前記無線ネットワークの容量に関する設定を示す設定データとに基づいて、前記設定の変更を示す変更データを設定する変更設定部と、
前記変更データが示す変更を前記無線ネットワークに施した場合の前記トラフィックの状態に基づいて、前記無線ネットワークから得られる予測収入を算出する収入予測部と、
前記変更データに基づいて、前記変更データが示す変更を前記無線ネットワークに施すために必要となる予測支出を算出する支出算出部と
を具備する
無線ネットワーク変更支援システム。
【請求項２】
請求の範囲第１項に記載の無線ネットワーク変更支援システムにおいて、
前記予測収入と前記予測支出とに基づいて、前記変更データに基づいて前記設定データを変更した場合の前記無線ネットワークの利益を算出する収支計算部
を更に具備する
無線ネットワーク変更支援システム。
【請求項３】
請求の範囲第１項又は第２項に記載の無線ネットワーク変更支援システムにおいて、
前記収入予測部は、
前記状態データと前記設定データと前記変更データとに基づいて、前記変更データに基づいて前記設定データを変更した場合の前記無線ネットワークにおける予測トラフィック量を示す予測トラフィックデータを算出するトラフィック予測部と、
前記予測トラフィックデータに基づいて、前記予測収入を算出する収入計算部と
を備える
無線ネットワーク変更支援システム。
【請求項４】
請求の範囲第１項乃至第３項のいずれか一項に記載の無線ネットワーク変更支援システムにおいて、
前記変更設定部は、
前記状態データと前記設定データとに基づいて、前記無線ネットワーク内に増設する無線基地局の増設位置を示す増設位置データを設定する基地局増設部
を備え、
前記変更データは、前記増設位置データを含む
無線ネットワーク変更支援システム。
【請求項５】
複数の無線基地局を有する無線ネットワークの状態を示す状態データと前記無線ネットワークの設定を示す設定データとに基づいて、前記設定データを変更する変更データを設定する変更設定部と、
前記状態データと前記設定データと前記変更データとに基づいて、前記設定データを変更した場合における前記無線ネットワークでの予測収入を算出する収入予測部と、
前記変更データに基づいて、前記変更データが示す変更を前記無線ネットワークに施すために必要となる予測支出を算出する支出算出部と、
前記設定データを記憶する第１記憶部と、
前記状態データを記憶する第２記憶部と
を具備し、
前記変更設定部は、
前記状態データと前記設定データとに基づいて、前記無線ネットワーク内に増設する無線基地局の増設位置を示す増設位置データを設定する基地局増設部
を備え、
前記変更データは、前記増設位置データを含み、
前記設定データは、前記無線基地局を増設する前の前記無線ネットワークが有する前記無線基地局の各々のセクタによるカバーエリアを示すカバーエリアデータを含み、
前記状態データは、前記無線基地局を増設する前の前記無線ネットワークが有する前記無線基地局の各々のセクタのトラフィックの状態を示すトラフィックデータを含み、
前記基地局増設部は、
前記第１記憶部に記憶された前記カバーエリアデータと前記第２記憶部に記憶された前記トラフィックデータとに基づいて、前記増設位置を探索する増設地点探索部
を含み、
前記増設地点探索部の探索結果に基づいて、前記増設位置データを設定する
無線ネットワーク変更支援システム。
【請求項６】
請求の範囲第５項に記載の無線ネットワーク変更支援システムにおいて、
前記増設地点探索部は、
前記カバーエリアを除いたエリアの中で面積が広く且つ周囲のセクタのトラフィック量が大きいエリア、及び、前記無線基地局の各々のセクタの中で未収容のトラフィック量が大きいセクタのうちの少なくとも一方を前記増設位置として探索する
無線ネットワーク変更支援システム。
【請求項７】
請求の範囲第４項乃至第６項のいずれか一項に記載の無線ネットワーク変更支援システムにおいて、
前記設定データは、前記無線ネットワークの通信性能を示す無線パラメータを含み、
前記変更設定部は、
前記状態データと前記設定データとに基づいて、前記無線パラメータの変更を示す無線パラメータ変更データを設定する無線パラメータ変更部
を更に備え、
前記変更データは、前記無線パラメータ変更データを含む
無線ネットワーク変更支援システム。
【請求項８】
請求の範囲第１項乃至第３項のいずれか一項に記載の無線ネットワーク変更支援システムにおいて、
前記設定データは、前記無線ネットワークの通信性能を示す無線パラメータを含み、
前記変更設定部は、
前記無線パラメータの変更を示す無線パラメータ変更データを設定する無線パラメータ変更部
を備える
無線ネットワーク変更支援システム。
【請求項９】
請求の範囲第７項または第８項に記載の無線ネットワーク変更支援システムにおいて、
前記設定データを記憶する第３記憶部と
前記状態データを記憶する第４記憶部と
を更に具備し、
前記設定データは、前記無線パラメータを変更する前の前記無線ネットワークが有する前記無線基地局の各々のセクタによるカバーエリアを示すカバーエリアデータを含み、
前記状態データは、前記無線パラメータを変更する前の前記無線ネットワークが有する前記無線基地局の各々のセクタのトラフィックの状態を示すトラフィックデータを含み、
前記無線パラメータ変更部は、
前記第３記憶部に記憶された前記カバーエリアデータと前記第４記憶部に記憶された前記トラフィックデータとに基づいて、前記無線パラメータの変更を行う無線基地局を探索する変更対象探索部
を含み、
前記変更対象探索部の探索結果に基づいて、前記無線パラメータの変更を行う無線基地局を設定する
無線ネットワーク変更支援システム。
【請求項１０】
請求の範囲第７項に記載の無線ネットワーク変更支援システムにおいて、
前記設定データを記憶する第３記憶部と
前記状態データを記憶する第４記憶部と
を更に具備し、
前記設定データは、前記無線パラメータを変更する前の前記無線ネットワークが有する前記無線基地局の各々のセクタによるカバーエリアを示すカバーエリアデータを含み、
前記状態データは、前記無線パラメータを変更する前の前記無線ネットワークが有する前記無線基地局の各々のセクタのトラフィックの状態を示すトラフィックデータを含み、
前記無線パラメータ変更部は、
前記第３記憶部に記憶された前記カバーエリアデータと前記第４記憶部に記憶された前記トラフィックデータとに基づいて、前記無線パラメータの変更を行う無線基地局を探索する変更対象探索部
を含み、
前記変更対象探索部の探索結果に基づいて、前記無線パラメータの変更を行う無線基地局を設定し、
前記変更対象探索部は、
前記カバーエリアを除いたエリアの中で面積が広く且つ周囲のセクタのトラフィック量が大きいエリアの周囲の無線基地局において、未収容のトラフィック量が大きいセクタを有する前記無線基地局、及び、前記増設位置データが示す増設位置の無線基地局のうちの少なくとも一つを前記無線パラメータの変更を行う無線基地局として設定する
無線ネットワークの変更支援システム。
【請求項１１】
複数の無線基地局を有する無線ネットワークの変更を、無線ネットワーク変更支援システムを用いて行う無線ネットワーク変更支援方法であって、
（ａ）前記無線ネットワーク変更支援システムの変更設定部が、前記無線ネットワークにおけるトラフィックの状態を示す状態データと前記無線ネットワークの容量に関する設定を示す設定データとに基づいて、前記設定の変更を示す変更データを設定するステップと、
（ｂ）前記無線ネットワーク変更支援システムの収入予測部が、前記変更データが示す変更を前記無線ネットワークに施した場合の前記トラフィックの状態に基づいて、前記無線ネットワークから得られる予測収入を算出するステップと、
（ｃ）前記無線ネットワーク変更支援システムの支出算出部が、前記変更データに基づいて、前記変更データが示す変更を前記無線ネットワークに施すために必要となる予測支出を算出するステップと
を具備する
無線ネットワーク変更支援方法。
【請求項１２】
請求の範囲第１１項に記載の無線ネットワーク変更支援方法において、
（ｄ）前記無線ネットワーク変更支援システムの収支計算部が、前記予測収入と前記予測支出とに基づいて、前記変更データに基づいて前記設定データを変更した場合の前記無線ネットワークの利益を算出するステップ
を更に具備する
無線ネットワーク変更支援方法。
【請求項１３】
請求の範囲第１１項又は第１２項に記載の無線ネットワーク変更支援方法において、
前記（ｂ）ステップは、
（ｂ１）前記収入予測部が、前記状態データと前記設定データと前記変更データとに基づいて、前記変更データに基づいて前記設定データを変更した場合の前記無線ネットワークにおける予測トラフィック量を示す予測トラフィックデータを算出するステップと、
（ｂ２）前記収入予測部が、前記予測トラフィックデータに基づいて、前記予測収入を算出するステップと
を備える
無線ネットワーク変更支援方法。
【請求項１４】
請求の範囲第１１項乃至第１３項のいずれか一項に記載の無線ネットワーク変更支援方法において、
前記（ａ）ステップは、
（ａ１）前記変更設定部が、前記状態データと前記設定データとに基づいて、前記無線ネットワーク内に増設する無線基地局の増設位置を示す増設位置データを設定するステップ
を備え、
前記変更データは、前記増設位置データを含む
無線ネットワーク変更支援方法。
【請求項１５】
複数の無線基地局を有する無線ネットワークの変更を、無線ネットワーク変更支援システムを用いて行う無線ネットワーク変更支援方法であって、
（ａ）前記無線ネットワーク変更支援システムの変更設定部が、前記無線ネットワークにおける状態を示す状態データと前記無線ネットワークの設定を示す設定データとに基づいて、前記設定データを変更する変更データを設定するステップと、
（ｂ）前記無線ネットワーク変更支援システムの収入予測部が、前記状態データと前記設定データと前記変更データとに基づいて、前記設定データを変更した場合における前記無線ネットワークでの予測収入を算出するステップと、
（ｃ）前記無線ネットワーク変更支援システムの支出算出部が、前記変更データに基づいて、前記変更データが示す変更を前記無線ネットワークに施すために必要となる予測支出を算出するステップと
を具備し、
前記（ａ）ステップは、
（ａ１）前記変更設定部が、前記状態データと前記設定データとに基づいて、前記無線ネットワーク内に増設する無線基地局の増設位置を示す増設位置データを設定するステップ
を備え、
前記変更データは、前記増設位置データを含み、
前記（ａ１）ステップは、
（ａ１１）前記変更設定部が、前記設定データと前記状態データとに基づいて、前記増設位置を探索するステップと、
（ａ１２）前記変更設定部が、前記探索結果に基づいて、前記増設位置データを設定するステップと
を含み、
前記設定データは、前記無線基地局を増設する前の前記無線ネットワークが有する前記無線基地局の各々のセクタによるカバーエリアを示すカバーエリアデータを含み、
前記状態データは、前記無線基地局を増設する前の前記無線ネットワークが有する前記無線基地局の各々のセクタのトラフィックの状態を示すトラフィックデータを含む
無線ネットワーク変更支援方法。
【請求項１６】
請求の範囲第１５項に記載の無線ネットワーク変更支援方法において、
前記（ａ１１）ステップは、
（ａ１１１）前記変更設定部が、前記カバーエリアを除いたエリアの中で面積が広く且つ周囲のセクタのトラフィック量が大きいエリア、及び、前記無線基地局の各々のセクタの中で未収容のトラフィック量が大きいセクタのうちの少なくとも一方を前記増設位置として探索するステップ
を含む
無線ネットワーク変更支援方法。
【請求項１７】
請求の範囲第１４項乃至第１６項のいずれか一項に記載の無線ネットワーク変更支援方法において、
前記設定データは、前記無線ネットワークの通信性能を示す無線パラメータを含み、
前記（ａ）ステップは、
（ａ２）前記変更設定部が、前記状態データと前記設定データとに基づいて、前記無線パラメータの変更を示す無線パラメータ変更データを設定するステップ
を更に備え、
前記変更データは、前記無線パラメータ変更データを含む
無線ネットワーク変更支援方法。
【請求項１８】
請求の範囲第１１項乃至第１３項のいずれか一項に記載の無線ネットワーク変更支援方法において、
前記設定データは、前記無線ネットワークの通信性能を示す無線パラメータを含み、
前記（ａ）ステップは、
（ａ２）前記変更設定部が、前記状態データと前記設定データとに基づいて、前記無線パラメータの変更を示す無線パラメータ変更データを設定するステップ
を更に備え、
前記変更データは、前記無線パラメータ変更データを含む
無線ネットワーク変更支援方法。
【請求項１９】
請求の範囲第１７項または第１８項に記載の無線ネットワーク変更支援方法において、
前記（ａ２）ステップは、
（ａ２１）前記変更設定部が、前記設定データと前記状態データとに基づいて、前記無線パラメータの変更を行う無線基地局を探索するステップと、
（ａ２２）前記変更設定部が、前記変更対象探索部の探索結果に基づいて、前記無線パラメータの変更を行う無線基地局を設定するステップと
を含み、
前記設定データは、前記無線パラメータを変更する前の前記無線ネットワークが有する前記無線基地局の各々のセクタによるカバーエリアを示すカバーエリアデータを含み、
前記状態データは、前記無線パラメータを変更する前の前記無線ネットワークが有する前記無線基地局の各々のセクタのトラフィックの状態を示すトラフィックデータを含む
無線ネットワーク変更支援方法。
【請求項２０】
請求の範囲第１７項に記載の無線ネットワーク変更支援方法において、
前記（ａ２）ステップは、
（ａ２１）前記変更設定部が、前記設定データと前記状態データとに基づいて、前記無線パラメータの変更を行う無線基地局を探索するステップと、
（ａ２２）前記変更設定部が、前記変更対象探索部の探索結果に基づいて、前記無線パラメータの変更を行う無線基地局を設定するステップと
を含み、
前記設定データは、前記無線パラメータを変更する前の前記無線ネットワークが有する前記無線基地局の各々のセクタによるカバーエリアを示すカバーエリアデータを含み、
前記状態データは、前記無線パラメータを変更する前の前記無線ネットワークが有する前記無線基地局の各々のセクタのトラフィックの状態を示すトラフィックデータを含み、
前記（ａ２１）ステップは、
（ａ２１１）前記変更設定部が、前記カバーエリアを除いたエリアの中で面積が広く且つ周囲のセクタのトラフィック量が大きいエリアの周囲の無線基地局において、未収容のトラフィック量が大きいセクタを有する前記無線基地局、及び、前記増設位置データが示す増設位置の無線基地局のうちの少なくとも一つを前記無線パラメータの変更を行う無線基地局として設定するステップ
を含む
無線ネットワーク変更支援方法。
【請求項２１】
コンピュータ上で使用したときに請求の範囲第１１項乃至第２０項のいずれか一項に記載された無線ネットワーク変更支援方法の全てのステップを実行するプログラムコード手段を有するコンピュータプログラム。
【請求項２２】
請求の範囲第２１項に記載されたプログラムコード手段を有するコンピュータプログラムが記憶されたコンピュータにより読み取り可能な記録媒体。
【発明の詳細な説明】
【技術分野】
【０００１】  本発明は、無線ネットワーク変更支援システム及び無線ネットワーク変更支援方法に関し、特に、より適切な無線ネットワークを提案する無線ネットワーク変更支援システム及び無線ネットワーク変更支援方法に関する。
【背景技術】
【０００２】  ユーザ端末との間で無線通信を行う複数の無線基地局を有する無線ネットワークの運用を開始した後に、「無線基地局の増設」または「無線基地局の無線パラメータ変更」によって、無線ネットワークのカバーエリアの拡大または無線ネットワークの回線容量の増大を実現する場合がある。【０００３】  図１は、従来の無線ネットワークの構成を示すブロック図である。
図１に示した無線ネットワークは、無線基地局１０１と、無線基地局１０２と、ネットワーク１０３と、無線ネットワーク管理部１０４とを含む。無線ネットワーク管理部１０４は、無線ネットワーク事業者によって管理されている。無線基地局１０１と無線基地局１０２とは、ネットワーク１０３を介して、無線ネットワーク管理部１０４によって管理されている。無線基地局１０１と無線基地局１０２とは、のそれぞれ無線パラメータとしてカバーエリアと回線容量が設定されている。無線ネットワークとしてのカバーエリアは、無線ネットワークが有する各無線基地局によりカバーされるエリアである。無線基地局１０１は、カバーエリア１０１ａを有し、３台のユーザ端末を収容可能な回線容量を有するものとする。また、無線基地局１０２は、カバーエリア１０２ａを有し、３台のユーザ端末を収容可能な回線容量を有するものとする。【０００４】  図１の場合、無線ネットワークのユーザ端末２０１、２０２および２０３は、カバーエリア１０１ａ内に存在する。無線基地局１０１は、ユーザ端末２０１、２０２および２０３を収容する。ユーザ端末２０６、２０７および２０８は、カバーエリア１０２ａ内に存在する。無線基地局１０２は、ユーザ端末２０６、２０７および２０８を収容する。各ユーザ端末は、携帯電話やＰＤＡのような携帯情報端末、ノート型のパーソナルコンピュータに例示される。ユーザ端末２０４および２０５は、無線基地局１０１のカバーエリア１０１ａ内に存在するが、無線基地局１０１の回線容量に空きがないため、無線基地局１０１に収容されない。ユーザ端末２０９、２１０および２１１は、無線基地局１０１のサービスエリア１０１ａにも無線基地局１０２のサービスエリア１０２ａにも含まれないので、無線ネットワークに収容されない。【０００５】  図２は、従来の他の無線ネットワークの構成を示すブロック図である。図２は、図１の状態から無線基地局１０５を増設して無線ネットワークのカバーエリアを拡大した例を示している。なお、図２において、図１と同一構成のものには同一符号を附してある。図２において、増設された無線基地局１０５は、カバーエリア１０５ａを有し、３台のユーザ端末を収容可能な回線容量を有するものとする。無線基地局１０５の増設によるカバーエリアの拡大によりユーザ端末２０９、２１０および２１１が新たに無線ネットワークに収容可能となる。【０００６】  図３は、従来の更に他の無線ネットワークの構成を示すブロック図である。図３は、図１の状態から無線基地局１０１の無線パラメータを変更して、無線基地局１０１の回線容量を増大した例を示している。なお、図３において、図１と同一構成のものには同一符号を附してある。図３において、無線基地局１０１は、無線パラメータの変更により５台のユーザ端末を収容可能な回線容量を有するものとなっている。それにより、図１に示した状態では無線基地局１０１に収容できなかったユーザ端末２０４および２０５が新たに収容可能となる。【０００７】  図４は、従来の別の無線ネットワークの構成を示すブロック図である。図４は、図１に示した状態から無線基地局１０１の無線パラメータを変更して、無線基地局１０１のカバーエリア１０１ａの増���と無線基地局１０１の回線容量の増大とを行った例を示している。なお、図４において、図１と同一構成のものには同一符号を附してある。図４において、無線基地局１０１は、無線パラメータの変更により、カバーエリア１０１ａが拡大し、かつ７台のユーザ端末を収容可能な回線容量を有するものとなっている。それにより、ユーザ端末２０４、２０５、２０９および２１０を新たに収容可能となる。【０００８】  従来、図２、図３または図４に示したような「無線基地局の増設」または「無線基地局の無線パラメータ変更」を行う場合、シミュレータを用いて、無線ネットワークのカバーエリアの拡大または無線ネットワークの回線容量の増大を計算し、その計算結果に基づいた「無線基地局の増設」または「無線基地局の無線パラメータ変更」の案を作成し、この案が無線ネットワーク事業者に提案されていた。【０００９】  ところで、無線ネットワーク事業者は、無線ネットワークに収容されているユーザ端末が通信したトラフィック量に応じた使用料を各ユーザから受け取ることで収入を得ている。他方、無線ネットワークの運用費用は支出となり、収入と支出の差が無線ネットワーク事業者の利益となる。【００１０】  無線ネットワーク事業者が、自身の利益を考慮して、無線基地局の配置パターンを決定する技術が、特開平８−３１７４５８号公報及び特開２００１−２８５９２３号公報に開示されている。【００１１】  特開平８−３１７４５８には、ＰＨＳ基地局の設置パターン決定方法が開示されている。このＰＨＳ基地局の設置パターン決定方法は、まず、所定のサービス計画エリアに対して、ＰＨＳ基地局の複数の異なる設置パターンを用意する。次に、各設置パターンについて、電界強度分布のシミュレーションを行う。続いて、シミュレーション結果に基づいて、各設置パターンごとに、サービス計画エリアの面積に対する通話可能エリアの面積の比率を品質評価値として算出する。その後、各設置パターンごとにコスト評価値を算出する。そして、各設置パターンに対する品質評価値とコスト評価値とに基づいて、全設置パターンの中から、当該サービス計画エリアに対する設置パターンを決定する。【００１２】  特開２００１−２８５９２３号公報には、基地局配置パターン決定方法の技術が開示されている。この基地局配置パターン決定方法は、まず、基地局配置の対象地域について、電波が伝播する際に影響を与える建造物の形状等の情報を備えた地図を用意する。次に、用意された地図上において、基地局を設置可能な場所を検出して、それぞれを基地局の設置可能な基地局候補点として指定する。続いて、基地局配置の対象地域内における通信可能エリアを特定するために、受信能力の評価位置として離散的に与えられるエリア評価点を指定する。その後、各基地局候補点毎に、当該基地局候補点に基地局が設置された場合における全てのエリア評価点の受信電力を求める。それに基づいて、それぞれの基地局候補点について当該候補点に基地局が建造された場合の通信可能エリアを導く。ただし、通信可能エリアは、所定のしきい値以上の受信電力が得られて通信可能位置と判定されるエリア評価点の集合として与えられる。その後、基地局の設置に係る基地局候補点の組み合わせに応じた遺伝子情報表現形式を選択する。それとともに、基地局配置に係る目的に応じた評価関数を設定する。そして、遺伝的アルゴリズムを適用して前記評価関数の与える適合度を最大にする遺伝子情報を探索して、最適な基地局配置パターンを決定する。【００１３】  これらの技術は、無線基地局の配置パターンを決定するための情報として、無線基地局の配置パターンと、その配置コストとを提供する。配置パターンは、シミュレーションに基づいて決定される。配置コストは、その配置パターンを実現する場合に必要となるコストである。しかし、無線ネットワーク事業者の利益に関する情報としては、無線ネットワーク事業者の支出に関する情報しか提供していない。【００１４】  無線ネットワーク事業者の利益は、収入と支出の差から得られる。したがって、無線ネットワークの変更を行った場合の収入に関する情報が無ければ、無線ネットワーク事業者は、自身の利益を十分考慮して無線ネットワークの変更を決定することは困難となる。すなわち、これらの技術は、無線ネットワーク事業者の最終的な目標である無線ネットワークの利益率を改善する無線ネットワークの変更案を供給することが困難であった。【００１５】  関連する技術として、特開平８−３２２０７９号公報に、ＰＨＳにおける増設基地局の設置位置等決定方法の技術が開示されている。このＰＨＳにおける増設基地局の設置位置等決定方法は、１又は複数のＰＨＳ基地局が設置されているサービスエリア内に、ＰＨＳ基地局を増設する場合において、増設基地局の設置位置等を決定する方法である。まず、上記サービスエリア内における複数の地点で電界強度を測定する。次に、数学的モデルを用いたシミュレーションによって求められる上記サービスエリアの電界強度分布が、上記電界強度の測定結果による電界強度分布にできるだけ合致するように、上記数学的モデルのパラメータを調整する。続いて、パラメータ調整後の数学的モデルに、増設基地局の設置位置に関するパラメータ値を含む増設基地局に関するパラメータ値を付与して、増設基地局が設置されたと仮定した場合における上記サービスエリアの電界強度分布をシミュレーションする。その後、シミュレーション結果を評価する。そして、増設基地局に関するパラメータ値を変更して、上記各工程を繰り返した後、増設基地局に関するパラメータ値ごとの評価結果に基づいて、好適な増設基地局に関するパラメータ値を決定する。【００１６】  関連する技術として、特開平６−１８８８１７号公報に、無線基地局配置方法の技術が開示されている。この無線基地局配置方法は、各セルがカバーするトラヒック量が大略均一になるように、マイクロセル基地局の間隔をトラヒック量の偏りに反比例させて各無線基地局を配置する。符号分割多元接続移動通信システムにおいてリバースリンクの通信品質が一定となるようにすることを目的とする。【００１７】  関連する技術として、特開２００３−８４９８号公報に、サービスエリア試験システムの技術が開示されている。このサービスエリア試験システムは、新設した基地局のサービスエリアの測定、最適化、管理等を行うサービスエリア試験システムである。エリア測定装置と、移動通信システムと、ネットワーク��、サーバとを備える。エリア測定装置は、シミュレーション結果に基づいて前記サービスエリアを算定し、そのサービスエリア内を移動して各種の測定及び前記基地局の最適化を行う。データ処理用基地局は、前記エリア測定装置とデータ処理のための通信を行う。移動通信システムは、前記新設した基地局、及びこれら基地局を制御する複数の制御局を含む。ネットワークは、前記移動通信システムに接続されている。サーバは、前記ネットワークに接続され、前記エリア測定装置から送られてきた測定データを解析し、その処理結果等を前記エリア測定装置へ返送する。前記エリア測定装置は、前記サーバからの処理結果等に基づいて前記新設した基地局のパラメータ、アンテナチルトを遠隔制御により調整する。【００１８】  特に近年は、無線ネットワークの利用料金の低廉化が進んでいる。そのため、無線ネットワークユーザーの需要と通信品質を満たしつつ、無線ネットワークへの投資と運用費用を抑えて利益率を増大させることが、無線ネットワーク事業者にとって重要な問題となっている。無線ネットワークの利益率を最大化する「無線基地局の増設」や「無線基地局の無線パラメータ変更」の提案が望まれている。【００１９】
【特許文献１】特開平８−３１７４５８号
【特許文献２】特開２００１−２８５９２３号公報
【特許文献３】特開平８−３２２０７９号公報
【特許文献４】特開平６−１８８８１７号公報
【特許文献５】特開２００３−８４９８号公報
【発明の開示】
【００２０】  本発明の目的は、より適切な無線ネットワークを提案する無線ネットワーク変更支援システムおよび無線ネットワーク変更支援方法を提供することである。
【００２１】  本発明の他の目的は、無線ネットワークにおける利益率を大きくする無線ネットワークの変更を提案する無線ネットワーク変更支援システムおよび無線ネットワーク変更支援方法を提供することである。
【００２２】  この発明のこれらの目的とそれ以外の目的と利益とは以下の説明と添付図面とによって容易に確認することができる。
【００２３】  上記課題を解決するため、本発明の無線ネットワーク変更支援システムは、変更設定部と、収入予測部と、支出算出部とを具備する。変更設定部は、複数の無線基地局を有する無線ネットワークの状態を示す状態データと無線ネットワークの設定を示す設定データとに基づいて、設定データを変更する変更データを設定する。収入予測部は、状態データと設定データと変更データとに基づいて、設定データを変更した場合における無線ネットワークでの予測収入を算出する。支出算出部は、変更データに基づいて、変更データが示す変更を無線ネットワークに施すために必要となる予測支出を算出する。
【００２４】  上記の無線ネットワーク変更支援システムにおいて、予測収入と予測支出とに基づいて、変更データに基づいて設定データを変更した場合の無線ネットワークの利益を算出する収支計算部を更に具備する。
【００２５】  上記の無線ネットワーク変更支援システムにおいて、収入予測部は、トラフィック予測部と、収入計算部とを備える。トラフィック予測部は、状態データと設定データと変更データとに基づいて、変更データに基づいて設定データを変更した場合の無線ネットワークにおける予測トラフィック量を示す予測トラフィックデータを算出する。収入計算部は、予測トラフィックデータに基づいて、予測収入を算出する。
【００２６】  上記の無線ネットワーク変更支援システムにおいて、変更設定部は、状態データと設定データとに基づいて、無線ネットワーク内に増設する無線基地局の増設位置を示す増設位置データを設定する基地局増設部を備える。変更データは、増設位置データを含む。
【００２７】  上記の無線ネットワーク変更支援システムにおいて、設定データを記憶する第１記憶部と、状態データを記憶する第２記憶部とを更に具備する。設定データは、無線基地局を増設する前の無線ネットワークが有する無線基地局の各々のセクタによるカバーエリアを示すカバーエリアデータを含む。前期状態データは、無線基地局を増設する前の無線ネットワークが有する無線基地局の各々のセクタのトラフィックの状態を示すトラフィックデータを含む。基地局増設部は、第１記憶部に記憶されたカバーエリアデータと第２記憶部に記憶されたトラフィックデータとに基づいて、増設位置を探索する増設地点探索部を含む。増設地点探索部の探索結果に基づいて、増設位置データを設定する。
【００２８】  上記の無線ネットワーク変更支援システムにおいて、増設地点探索部は、カバーエリアを除いたエリアの中で面積が広く且つ周囲のセクタのトラフィック量が大きいエリア、及び、無線基地局の各々のセクタの中で未収容のトラフィック量が大きいセクタのうちの少なくとも一方を増設位置として探索する。
【００２９】  上記の無線ネットワーク変更支援システムにおいて、設定データは、無線ネットワークの通信性能を示す無線パラメータを含む。変更設定部は、状態データと設定データとに基づいて、無線パラメータの変更を示す無線パラメータ変更データを設定する無線パラメータ変更部を更に備える。変更データは、無線パラメータ変更データを含む。
【００３０】  上記の無線ネットワーク変更支援システムにおいて、設定データは、無線ネットワークの通信性能を示す無線パラメータを含む。変更設定部は、無線パラメータの変更を示す無線パラメータ変更データを設定する無線パラメータ変更部を備える。
【００３１】  上記の無線ネットワーク変更支援システムにおいて、設定データを記憶する第３記憶部と、状態データを記憶する第４記憶部とを更に具備する。設定データは、無線パラメータを変更する前の無線ネットワークが有する無線基地局の各々のセクタによるカバーエリアを示すカバーエリアデータを含む。状態データは、無線パラメータを変更する前の無線ネットワークが有する無線基地局の各々のセクタのトラフィックの状態を示すトラフィックデータを含む。無線パラメータ変更部は、第３記憶部に記憶されたカバーエリアデータと第４記憶部に記憶されたトラフィックデータとに基づいて、無線パラメータの変更を行う無線基地局を探索する変更対象探索部を含む。変更対象探索部の探索結果に基づいて、無線パラメータの変更を行う無線基地局を設定する。
【００３２】  上記の無線ネットワーク変更支援システムにおいて、設定データを記憶する第３記憶部と、状態データを記憶する第４記憶部とを更に具備する。設定データは、無線パラメータを変更する前の無線ネットワークが有する無線基地局の各々のセクタによるカバーエリアを示すカバーエリアデータを含む。状態データは、無線パラメータを変更する前の無線ネットワークが有する無線基地局の各々のセクタのトラフィックの状態を示すトラフィックデータを含む。無線パラメータ変更部は、第３記憶部に記憶されたカバーエリアデータと第４記憶部に記憶されたトラフィックデータとに基づいて、無線パラメータの変更を行う無線基地局を探索する変更対象探索部を含む。変更対象探索部の探索結果に基づいて、無線パラメータの変更を行う無線基地局を設定する。変更対象探索部は、カバーエリアを除いたエリアの中で面積が広く且つ周囲のセクタのトラフィック量が大きいエリアの周囲の無線基地局無線基地局の各々のセクタの中で未収容のトラフィック量が大きいセクタを有する無線基地局、及び、増設位置データが示す増設位置の無線基地局のうちの少なくとも一つを無線パラメータの変更を行う無線基地局として設定する。
【００３３】  上記課題を解決するために本発明の無線ネットワーク変更支援方法は、複数の無線基地局を有する無線ネットワークの変更を、無線ネットワーク変更支援システムを用いて行う無線ネットワーク変更支援方法である。（ａ）無線ネットワーク変更支援システムの変更設定部が、無線ネットワークにおける状態を示す状態データと無線ネットワークの設定を示す設定データとに基づいて、設定データを変更する変更データを設定するステップと、（ｂ）無線ネットワーク変更支援システムの収入予測部が、状態データと設定データと変更データとに基づいて、設定データを変更した場合における無線ネットワークでの予測収入を算出するステップと、（ｃ）無線ネットワーク変更支援システムの支出算出部が、変更データに基づいて、変更データが示す変更を無線ネットワークに施すために必要となる予測支出を算出するステップとを具備する。
【００３４】  上記の無線ネットワーク変更支援方法において、（ｄ）無線ネットワーク変更支援システムの収支計算部が、予測収入と予測支出とに基づいて、変更データに基づいて設定データを変更した場合の無線ネットワークの利益を算出するステップを更に具備する。
【００３５】  上記の無線ネットワーク変更支援方法において、（ｂ）ステップは、（ｂ１）収入予測部が、状態データと設定データと変更データとに基づいて、変更データに基づいて設定データを変更した場合の無線ネットワークにおける予測トラフィック量を示す予測トラフィックデータを算出するステップと、（ｂ２）収入予測部が、予測トラフィックデータに基づいて、予測収入を算出するステップとを備える。
【００３６】  上記の無線ネットワーク変更支援方法において、（ａ）ステップは、（ａ１）変更設定部が、状態データと設定データとに基づいて、無線ネットワーク内に増設する無線基地局の増設位置を示す増設位置データを設定するステップを備える。変更データは、増設位置データを含む。
【００３７】  上記の無線ネットワーク変更支援方法において、（ａ１）ステップは、（ａ１１）変更設定部が、設定データと状態データとに基づいて、増設位置を探索するステップと、（ａ１２）変更設定部が、探索結果に基づいて、増設位置データを設定するステップとを含む。設定データは、無線基地局を増設する前の無線ネットワークが有する無線基地局の各々のセクタによるカバーエリアを示すカバーエリアデータを含む。前期状態データは、無線基地局を増設する前の無線ネットワークが有する無線基地局の各々のセクタのトラフィックの状態を示すトラフィックデータを含む。
【００３８】  上記の無線ネットワーク変更支援方法において、（ａ１１）ステップは、（ａ１１１）変更設定部が、カバーエリアを除いたエリアの中で面積が広く且つ周囲のセクタのトラフィック量が大きいエリア、及び、無線基地局の各々のセクタの中で未収容のトラフィック量が大きいセクタのうちの少なくとも一方を増設位置として探索するステップを含む。
【００３９】  上記の無線ネットワーク変更支援方法において、設定データは、無線ネットワークの通信性能を示す無線パラメータを含む。（ａ）ステップは、（ａ２）変更設定部が、状態データと設定データとに基づいて、無線パラメータの変更を示す無線パラメータ変更データを設定するステップを更に備える。変更データは、無線パラメータ変更データを含む。
【００４０】  上記の無線ネットワーク変更支援方法において、設定データは、無線ネットワークの通信性能を示す無線パラメータを含む。（ａ）ステップは、（ａ２）変更設定部が、状態データと設定データとに基づいて、無線パラメータの変更を示す無線パラメータ変更データを設定するステップを更に備える。変更データは、無線パラメータ変更データを含む。
【００４１】  上記の無線ネットワーク変更支援方法において、（ａ２）ステップは、（ａ２１）変更設定部が、設定データと状態データとに基づいて、無線パラメータの変更を行う無線基地局を探索するステップと、（ａ２２）変更設定部が、変更対象探索部の探索結果に基づいて、無線パラメータの変更を行う無線基地局を設定するステップとを含む。設定データは、無線パラメータを変更する前の無線ネットワークが有する無線基地局の各々のセクタによるカバーエリアを示すカバーエリアデータを含む。状態データは、無線パラメータを変更する前の無線ネットワークが有する無線基地局の各々のセクタのトラフィックの状態を示すトラフィックデータを含む。
【００４２】  上記の無線ネットワーク変更支援方法において、（ａ２）ステップは、（ａ２１）変更設定部が、設定データと状態データとに基づいて、無線パラメータの変更を行う無線基地局を探索するステップと、（ａ２２）変更設定部が、変更対象探索部の探索結果に基づいて、無線パラメータの変更を行う無線基地局を設定するステップとを含む。設定データは、無線パラメータを変更する前の無線ネットワークが有する無線基地局の各々のセクタによるカバーエリアを示すカバーエリアデータを含む。状態データは、無線パラメータを変更する前の無線ネットワークが有する無線基地局の各々のセクタのトラフィックの状態を示すトラフィックデータを含む。（ａ２１）ステップは、（ａ２１１）変更設定部が、カバーエリアを除いたエリアの中で面積が広く且つ周囲のセクタのトラフィック量が大きいエリアの周囲の無線基地局無線基地局の各々のセクタの中で未収容のトラフィック量が大きいセクタを有する無線基地局、及び、増設位置データが示す増設位置の無線基地局のうちの少なくとも一つを無線パラメータの変更を行う無線基地局として設定するステップを含む。
【００４３】  上記課題を解決するために本発明のコンピュータプログラム製品は、コンピュータ上で使用したときに上記のいずれか一項に記載された無線ネットワーク変更支援方法の全てのステップを実行するプログラムコード手段を有する。
【００４４】  上記課題を解決するために本発明のコンピュータプログラム製品は、コンピュータにより読み取り可能な記憶手段に記憶された、上項に記載されたプログラムコード手段を有する。
【発明を実施するための最良の形態】
【００４５】  以下、本発明の無線ネットワーク変更支援システム及び無線ネットワーク変更支援方法の実施の形態を、図面を参照して説明する。
まず、本発明の無線ネットワーク変更支援システムの実施の形態としての無線ネットワーク最適化支援システムの構成について説明する。図５は、本発明の無線ネットワーク変更支援システムの実施の形態としての無線ネットワーク最適化支援システムの構成を示すブロック図である。なお、本実施の形態の無線ネットワーク最適化支援システムは、既存の無線ネットワークの利益を向上させる変更案を提供し、その効率を向上させることが可能である。【００４６】  図５において、無線ネットワーク最適化支援システム１は、変更設定部１１と、収入予測部１２と、支出算出部１３と、収支計算部１４と、第１記憶部および第３記憶部としての無線パラメータ記憶部１５とを含む。【００４７】  無線ネットワーク最適化支援システム１は、ワークステーションに例示される情報処理装置である。その場合、変更設定部１１、収入予測部１２、支出算出部１３及び収支計算部１４はプログラムであり、無線パラメータ記憶部１５はプログラム及びデータである。【００４８】  変更設定部１１、収入予測部１２、支出算出部１３及び収支計算部１４の各々がワークステーションやパーソナルコンピュータに例示される情報処理装置であり、無線パラメータ記憶部１５がデータベースであっても良い。その場合、無線ネットワーク最適化支援システム１は、複数の情報処理装置とデータベースとを組み合わせたシステムである。【００４９】  無線ネットワーク最適化支援システム１は、無線ネットワークの無線ネットワーク管理部４と接続されている。無線ネットワークは、無線基地局２０（−１〜ｎ：ｎは自然数）と、ネットワーク３と、無線ネットワーク管理部４とを含む。無線ネットワーク管理部４は、無線ネットワーク事業者によって管理される。無線基地局２０−１〜２０−ｎは、ネットワーク３を介して、無線ネットワーク管理部４によって管理されている。無線基地局２０−１〜２０−ｎは、ユーザ端末との間で無線通信を行い、無線パラメータとしてのカバーエリアと回線容量が設定されている。カバーエリアは、無線ネットワークが有する各無線基地局２０によりカバーされるエリアである。無線ネットワーク管理部４、ネットワーク３及び無線基地局２０−１〜２０−ｎは、従来技術の無線ネットワーク管理部１０４、ネットワーク１０３及び無線基地局１０１、１０２と同様であるので、その説明を省略する。【００５０】  変更設定部１１は、無線ネットワークの変更を示す変更データを設定する。変更設定部１１は、基地局増設部１１ａと無線パラメータ変更部１１ｂとを含む。基地局増設部１１ａは、増設地点探索部１１ａ１を含む。無線パラメータ変更部１１ｂは、変更対象探索部１１ｂ１を含む。【００５１】  収入予測部１２は、変更設定部１１により設定された変更データが示す変更を施した無線ネットワークにおける予測収入を算出する。収入予測部１２は、トラフィック予測部としてのシミュレータ１２ａと、収入算出部１２ｂと、第２記憶部および第４記憶部としてのトラフィックデータ記憶部１２ｃとを含む。収入算出部１２ｂは、現トラフィック収入計算部１２ｂ１と予測トラフィック収入計算部１２ｂ２とを含む。【００５２】  支出算出部１３は、変更設定部１１により設定され���変更データが示す変更を無線ネットワークに施すために必要となる支出を算出する。支出算出部１３は、無線パラメータ変換費用計算部１３ａと無線基地局増設費用計算部１３ｂとを含む。【００５３】  収支計算部１４は、収入予測部１２が算出した予測収入と、支出算出部１３が算出した支出とに基づき、変更後の無線ネットワークの利益を算出する。【００５４】  無線パラメータ記憶部１５は、無線ネットワークにおける無線パラメータ３１を入力として、その無線パラメータ３１を記憶する。無線パラメータ記憶部１５は、記憶した無線ネットワークの無線パラメータを、基地局増設部１１ａ、無線パラメータ変更部１１ｂ及びシミュレータ１２ａに供給する。その無線パラメータは、無線ネットワークの性能を決定づける情報である。【００５５】  その無線パラメータ（設定データ）は、例えば、無線基地局の設置地点を示すデータと、各種パラメータのデータとを含む。無線基地局の設置地点を示すデータは、例えば、緯度と経度と高度である。各種パラメータは、例えば、各無線基地局のアンテナのチルト角を示すパラメータ、各無線基地局の送信電力を示すパラメータ、各無線基地局のハンドオーバしきい値のパラメータ、無線パラメータで決定づけられる各基地局のセクタによるカバーエリアを示すカバーエリアデータに例示される。【００５６】  トラフィックデータ記憶部１２ｃは、無線ネットワークのトラフィックの状態を示すトラフィックデータ（状態データ）３２を入力として、そのトラフィックデータを記憶する。トラフィックデータは、無線ネットワークに収容されるユーザの利用状態を表す情報である。トラフィックデータは、無線ネットワークが有する各無線基地局のセクタのトラフィック量と回線利用率と呼損率とを含む。【００５７】  具体的には、トラフィックデータ記憶部１２ｃは、無線ネットワークのサービスイン後に得られる現在収容されているトラフィックの状態を示すトラフィックデータを入力として、そのトラフィックデータを記憶する。また、トラフィックデータ記憶部１２ｃは、シミュレータ１２ａから供給される予測トラフィックデータを入力として、その予測トラフィックデータを記憶する。【００５８】  トラフィックデータ記憶部１２ｃは、現在のトラフィックデータを、基地局増設部１１ａと、無線パラメータ変更部１１ｂと、シミュレータ１２ａと、現トラフィック収入計算部１２ｂ１へ供給する。また、トラフィックデータ記憶部１２ｃは、シミュレータ１２ａから供給される予測トラフィックデータを、予測トラフィック収入計算部１２ｂ２へ供給する。【００５９】  基地局増設部１１ａは、無線ネットワークへの無線基地局の増設位置を示す増設位置データを変更データとして設定する。具体的には、基地局増設部１１ａは、無線パラメータ記憶部１５が記憶している現在の無線ネットワークの無線パラメータと、トラフィックデータ記憶部１２ｃが記憶している現在のトラフィックデータとの入力に基づいて、無線基地局の増設地点を自身（基地局増設部１１ａ）に設定する。そして、設定した無線基地局の増設地点の情報を変更データとして出力する。【００６０】  なお、現在の無線ネットワークの無線パラメータと現在のトラフィックデータとに基づく人の判断で決定された無線基地局の増設地点の入力により、基地局増設部１１ａが増設地点を設定してもよい。基地局増設部１１ａは、増設地点探索部１１ａ１にて探索された増設地点を変更データとして設定しても良い。【００６１】  基地局増設部１１ａは、無線基地局の増設地点の情報を、無線パラメータ変更部１１ｂと、シミュレータ１２ａと、無線基地局増設費用計算部１３ｂと、収支計算部１４とに供給する。【００６２】  増設地点探索部１１ａ１は、無線パラメータ記憶部１５が記憶している現在の無線ネットワークの無線パラメータとトラフィックデータ記憶部１２ｃが記憶している現在のトラフィックデータとに基づいて、無線基地局の増設地点を探索する。探索方法については後述する。増設地点探索部１１ａ１は、探索したエリアの中の所定のエリアに含まれる地点を無線基地局の増設地点とする。【００６３】  その所定のエリアに含まれる地点は、人の判断によって決定してもよいし、基地局増設部１１ａが決定してもよい。所定のエリアに含まれる地点を人に選択させる際、増設地点探索部１１ａ１は、例えば、探索したエリアを表示部１６に表示させ、その表示の中から所定のエリアに含まれる地点を人に選択させるようにしてもよい。決定された所定のエリアに含まれる地点は、基地局増設部１１ａに設定される。【００６４】  無線パラメータ変更部１１ｂは、無線パラメータ記憶部１５に記憶されている現在の無線パラメータと、トラフィックデータ記憶部１２ｃに記憶されている現在のトラフィックデータと、基地局増設部１１ａが出力する無線基地局の増設地点の情報とを入力として、無線基地局の無線パラメータを所定の値に変更する。そして、変更した無線パラメータの情報を変更データとして出力する。【００６５】  なお、前記所定の値は、現在の無線パラメータと、現在のトラフィックデータと、基地局増設部１１ａから出力される無線基地局の増設地点の情報に基づいて、人の判断によって決定されてもよい。【００６６】  また、前記所定の値は、以下に示す変更対象探索部１１ｂ１にて探索される無線パラメータ変更対象基地局を対象にして人の判断によって決定してもよいし、無線パラメータ変更対象基地局を対象にして無線パラメータ変更部１１ｂによって決定してもよい。【００６７】  無線パラメータ変更部１１ｂは、変更した無線パラメータを、シミュレータ１２ａと、無線パラメータ変更費用計算部１３ａと、収支計算部１４に供給する。【００６８】  変更対象探索部１１ｂ１は、現在の無線パラメータと現在のトラフィックデータと基地局増設部１１ａの出力とに基づき、無線パラメータの変更を行う無線基地局を探索する。探索方法については後述する。変更対象探索部１１ｂ１は、探索した無線基地局のセクタの中のいずれかを無線パラメータ変更対象基地局すなわち変更データとして無線パラメータ変更部１１ｂに設定する。【００６９】  シミュレータ１２ａは、無線パラメータ記憶部１５に記憶されている無線ネットワークの無線パラメータと、トラフィックデータ記憶部１２ｃに記憶されているトラフィックデータと、基地局増設部１１ａが出力する無線基地局の増設地点と、無線パラメータ変更部１１ｂが出力する変更した無線パラメータとを入力として、無線ネットワークの動作をシミュレートする。【００７０】  シミュレータ１２ａは、無線ネットワークのカバーエリアおよび回線容量を求めるだけでなく、さらに変更設定部１１により設定された変更データが示す変更を施した無線ネットワークにおける予測トラフィック量と予想回線利用率と予想呼損率で構成される予測トラフィックデータを算出し、算出した予測トラフィックデータをトラフィックデータ記憶部１２ｃに出力する。【００７１】  シミュレータ１２ａによる予測トラフィック量の算出例としては、無線ネットワークのカバーエリアを広げる変更を変更データが示す場合、広げられるカバーエリアのトラフィック量を、広げられるカバーエリアの周囲のエリアの既存のトラフィック量の平均値として算出する。また、無線基地局の回線容量を増加する変更を変更データが示す場合、増加する回線容量に伴って増加するトラフィック量を、増加する回線容量に所定の値を掛けたときに得られる値とする。【００７２】  また、シミュレータ１２ａは、シミュレートに用いた無線ネットワークの無線パラメータ（その無線パラメータによって決定づけられる無線ネットワークのカバーエリアデータを含む）を、無線パラメータ記憶部１５に出力する。【００７３】  現トラフィック収入計算部１２ｂ１は、トラフィックデータ記憶部１２ｃから現在のトラフィックデータを入力として、その現在のトラフィックデータが示す現在のトラフィック量によって得られる収入を計算し、その計算結果を収支計算部１４に出力する。例えば、現トラフィック収入計算部１２ｂ１は、１年間に得られる収入を計算するものとする。【００７４】  予測トラフィック計算部１２ｂ２は、トラフィックデータ記憶部１２ｃが記憶している予測トラフィックデータを入力として、その予測トラフィックデータが示す予測トラフィック量によって得られる予測収入を計算し、その計算結果を収支計算部１４に出力する。例えば、予測トラフィック計算部１２ｂ２は、１年間に得られる予測収入を計算するものとする。【００７５】  無線パラメータ変更費用計算部１３ａは、無線パラメータ変更部１１ｂが出力する変更した無線パラメータの情報を入力として、その入力に基づき、無線パラメータを変更するのに必要な諸費用を計算し、その計算結果を収支計算部１４に出力する。【００７６】  無線パラメータの変更には、例えば、送信電力を変更すると、パラメータの変更にともなう人件費や、場合によっては新規の送信アンプを設置する所定の費用が必要となる。例えば、無線パラメータ変更費用計算部１３ａは、パラメータの変更内容と、パラメータの変更に伴う費用とを関連づけて記憶してあるメモリを備え、このメモリを用いて、無線パラメータを変更するのに必要な諸費用を計算する。無線パラメータ変更費用計算部１３ａは、それらの総費用と予想利用期間に基づき１年あたりの支出を計算する。【００７７】  無線基地局増設費用計算部１３ｂは、無線基地局の増設地点の情報を入力として、その地点へ無線基地局を増設するために必要な費用を計算し、その計算結果を収支計算部１４に出力する。【００７８】  無線基地局の増設に伴って、例えば、無線基地局本体の費用、設置するビル屋上の利用料、基地局のメンテナンス代などの費用が発生する。例えば、無線基地局増設費用計算部１３ｂは、無線基地局の増設地点と、その増設地点に無線基地局を増設するのに必要となる費用とを関連づけて記憶してあるメモリを備え、このメモリを用いて、無線基地局の増設地点へ無線基地局を増設するために必要な費用を計算する。無線基地局増設費用計算部１３ｂは、それらの総費用と予想利用期間によって１年あたりの支出を計算する。【００７９】  収支計算部１４は、現在のトラフィック収入と予測トラフィック収入の差をとることで、収容トラフィックの増加による「増加収入」を求める。また、収支計算部１４は、無線基地局の増設費用の支出と無線パラメータの変更費用の支出との和をとることで、無線基地局の増設や無線パラメータ変更による「増加支出」を求める。そして、収支計算部１４は、無線基地局の増設と無線パラメータ変更による増加支出を、これまで発生していた支出に加えることで、無線基地局の増設や無線パラメータ変更後の「支出」を求める。なお、これまで発生していた支出は、収支計算部１４が記憶しているものとする。さらに、収支計算部１４は、求めた上記の「収入」から「支出」を減ずることで、「利益」を計算し、さらに利益を支出で割ることで「利益率」を求める。収支計算部１４は、利益率、利益、収入、増加収入、支出、増加支出、無線基地局の増設地点および変更した無線パラメータをあわせて外部（本実施例では、表示部１６）へ出力する。【００８０】  次に、本発明の無線ネットワーク変更支援システムの実施の形態としての無線ネットワーク最適化支援システムの動作について説明する。
図６は、本発明の無線ネットワーク変更支援システムの実施の形態としての無線ネットワーク最適化支援システムの動作（無線ネットワーク変更支援方法）を説明するためのフローチャートである。【００８１】  無線パラメータ記憶部１５は、無線ネットワーク管理部４からの変更前の無線ネットワークにおける無線パラメータ３１を記憶する。トラフィックデータ記憶部１２ｃは、無線ネットワーク管理部４からの変更前の無線ネットワークのトラフィックデータ３２を記憶する（ステップＳ０１）。【００８２】  続いて、増設地点探索部１１ａ１は、現在の無線パラメータと現在のトラフィックデータとに基づき、無線基地局の増設地点を求める（ステップＳ０２）。【００８３】  ここで、ステップＳ０２の詳細を図７を参照して説明する。図７は、ステップＳ０２の詳細を示すフローチャートである。
増設地点探索部１１ａ１は、無線パラメータ記憶部１５に記憶されている現在の無線ネットワークの無線パラメータとトラフィックデータ記憶部１２ｃに記憶されている現在のトラフィックデータとに基づいて、どの基地局のセクタにもカバーされていない場所（無線ネットワークの非カバーエリア）を選択（探索）する。そして、選択（探索）された場所のうち、その面積が広く、かつ、その場所の周囲の各無線基地局のセクタのトラフィック量が大きいエリアを選択（探索）する（１番目の探索：ステップＳ２１）。【００８４】  増設地点探索部１１ａ１は、トラフィックデータ記憶部１２ｃに記憶されている現在のトラフィックデータに含まれる回線利用率および呼損率に基づき、各無線基地局のセクタの中から、該セクタで収容できないトラフィック量が大きいセクタのカバーエリアを選択（探索）する（２番目の探索：ステップＳ２２）。【００８５】  なお、増設地点探索部１１ａ１は、上記１番目の探索と上記２番目の探索のいずれか一方の探索のみを行うようにしてもよい。【００８６】  図８は、増設地点探索部１１ａ１が行う上記１番目の探索と上記２番目の探索を説明するための図である。具体的には、トラフィックデータを示したセルラーシステムの例を示している。【００８７】  図８において、無線基地局２０ａと無線基地局２０ｂと無線基地局２０ｃのそれぞれは、３つのセクタによるカバーエリアを持つ。具体的には、基地局２０ａは、セクタａとセクタｂとセクタｃとによるカバーエリアを持ち、また、基地局２０ｂは、セクタｄとセクタｅとセクタｆとによるカバーエリアを持ち、また、基地局２０ｃは、セクタｇとセクタｈとセクタｉとによるカバーエリアを持つ。図８において斜線で示したエリア（非カバーエリアＡ、非カバーエリアＢ及び非カバーエリアＣ）は、そのエリアにおいて、全セクタからの受信レベルが所定値以下である無線システムのエリア（非カバーエリア）である。【００８８】  次に、図８を参照して、増設地点探索部１１ａ１が行う上記１番目の探索と上記２番目の探索を説明する。
増設地点探索部１１ａ１は、１番目の探索処理において、非カバーエリアＡの面積が非カバーエリアＡ〜Ｃの中で最も広く、かつ、その周りの無線基地局のセクタはどれもトラフィック量が大きいので、非カバーエリアＡを選択する（ステップＳ２１）。「トラフィック量が大きい」の判定はトラフィック量が所定値以上という判定処理とする。例えば、トラフィック量が６００コール以上とする。【００８９】  増設地点探索部１１ａ１は、２番目の探索処理においては、各無線基地局のセクタの中で、収容できないトラフィック量が大きいのはセクタｂであるので、セクタｂのカバーエリアを選択する（ステップＳ２２）。「収容できないトラフィック量が大きい」の判定は、例えば、収容できなないトラフィック量が所定値より大きいという判定処理で行う。例えば、回線利用率が１００％を越えることでトラフィックを収容できない確率が高いという観点で、回線利用率が所定値（例えば、８０％）以上という判定処理によって行う。また、呼損によって収容できないトラフィック量が大きいという観点で、呼損率が所定値（例えば、１５％）以上という判定処理を行う。【００９０】  図６を参照して、増設地点探索部１１ａ１は、選択したエリアの中の所定のエリアに含まれる地点を無線基地局の増設地点すなわち変更データとして基地局増設部１１ａに設定する。その地点（所定の地点）は、人の判断によって決定してもよいし、基地局増設部１１ａが決定してもよい（ステップＳ０３）。【００９１】  なお、基地局増設部１１ａが、増設地点探索部１１ａ１が選択したエリアの中から所定の地点を決定する方法の一例としては、例えば以下のような方法がある。選択したエリアに最も近い３つの無線基地局を頂点とする３角形の外心（いずれの３頂点へも等距離の点）が選択エリアに含まれる場合、上記外心を所定の地点とする。含まれない場合、上記外心に最も近い選択エリアの地点を所定の地点とする。【００９２】  続いて、変更対象探索部１１ｂ１は、現在の無線パラメータと現在のトラフィックデータとに基づき、無線パラメータの変更を行う無線基地局を探索する（ステップＳ０４）。【００９３】  ここで、ステップＳ０４の詳細を図９を参照して説明する。図９は、ステップＳ０４の詳細を示すフローチャートである。
１番目に、変更対象探索部１１ｂ１は、増設地点探索部１１ａ１が行う１番目の処理（ステップＳ２１）と同じ処理を行う（ステップＳ４１）。この１番目の処理によって探索され、選択されたエリアの周囲の無線基地局を選択する（ステップＳ４２）。具体的には、変更対象探索部１１ｂ１は、探索され、選択されたエリアの周囲の無線基地局のセクタを選択する。【００９４】  ２番目に、変更対象探索部１１ｂ１は、増設地点探索部１１ａ１が行う２番目の処理（ステップＳ２２）と同じ処理を行う（ステップＳ４３）。この２番目の処理によって探索され、選択されたエリアをカバーする無線基地局を選択する（ステップＳ４４）。具体的には、変更対象探索部１１ｂ１は、探索され、選択されたエリアの周囲の無線基地局のセクタを選択する。【００９５】  ３番目に、基地局増設部１１ａから無線基地局の増設地点の情報（ステップＳ０３）が入力されている場合、その増設地点の基地局を選択する（ステップＳ４５）。具体的には、変更対象探索部１１ｂ１は、増設地点の基地局の全セクタを選択する。【００９６】  図８を参照して、変更対象探索部１１ｂ１の動作を説明する。
増設地点探索部１１ａ１が行う１番目の処理と同じ処理によって選択されるエリアは非カバーエリアＡである（ステップＳ４１）。したがって、変更対象探索部１１ｂ１が１番目に選択するのは、非カバーエリアＡの周囲のセクタｂ、ｃ、ｆおよびｇである（ステップＳ４２）。【００９７】  変更対象探索部１１ｂ１が２番目に選択するセクタは、増設地点探索部１１ａ１が行う２番目の処理と同じ処理によって選択されるセクタｂである。変更対象探索部１１ｂ１が３番目に選択するセクタは、基地局増設部１１ａから無線基地局の増設地点の情報の入力がある場合、入力された増設地点の無線基地局が有する全セクタである。【００９８】  図６を参照して、変更対象探索部１１ｂ１は、上記１番目（ステップＳ４２）と２番目（ステップＳ４４）と３番目（ステップＳ４４）とで選択されたいずれかの無線基地局（具体的には、無線基地局のセクタ）を、選択された無線パラメータ変更対象基地局（具体的には、無線パラメータ変更対象基地局のセクタ）とする。すなわち、変更対象探索部１１ｂ１は、選択した無線基地局のセクタの中のいずれかを無線パラメータ変更対象基地局すなわち変更データとして無線パラメータ変更部１１ｂに設定する（ステップＳ０５）。選択した無線基地局のセクタの中で、どの無線基地局のセクタを無線パラメータ変更対象とするかは、人の判断によって決定してもよいし、無線パラメータ変更部１１ｂが決定してもよい。【００９９】  無線パラメータ変更部１１ｂが、変更対象探索部１１ｂ１が探索した無線基地局のセクタの中から無線パラメータ変更対象基地局を決定する方法の一例を以下に示す。図１０は、ステップＳ０５の詳細を示すフローチャートである。【０１００】  まず、劣化率に余裕があるという観点により、変更対象探索部１１ｂ１が１番目（ステップＳ４２）と２番目（ステップＳ４４）で選択した無線基地局のセクタの中から、劣化率の小さい順に上位いくつかの無線基地局のセクタを選択する（ステップＳ５１）。または、収容可能なトラフィック量に余裕があるという観点で、回線利用率の小さい順に上位いくつかの無線基地局のセクタを選択するという方法をとる（ステップＳ５１）。次に、変更対象探索部１１ｂ１が３番目（ステップＳ４５）に選択した増設地点の無線基地局の全セクタがある場合、増設地点の無線基地局が有する全セクタを選択する（ステップＳ５２）。こうして選択した無線基地局のセクタを、無線パラメータ変更対象とする。【０１０１】  無線パラメータ変更部１１ｂは、対象となる無線基地局における無線パラメータとして、所定の値に変更した変更データを設定する。その所定の値は、無線パラメータ変更部１１ｂが決定してもよいし、人の判断によって決定されてもよい（ステップＳ０６）。【０１０２】  なお、無線パラメータ変更部１１ｂがその所定の値を決定する際は、無線パラメータ変更部１１ｂが、無線パラメータ記憶部１５に記憶されている現在の無線パラメータと、トラフィックデータ記憶部１２ｃに記憶されている現在のトラフィックデータと、基地局増設部１１ａが出力する無線基地局の増設地点の情報とを入力として、無線基地局の無線パラメータを所定の値に変更し、変更した無線パラメータの情報を変更データとして出力する。【０１０３】  その所定の値を決定する具体的な方法の一例は、次のとおりである。無線パラメータ変更対象基地局のカバーエリアを広げることによって収容可能なトラフィックが現状より多くなるように、現在のトラフィックデータの回線利用率が一定値以下（例えば５０％以下）のセクタの無線パラメータである送信電力を、現在の送信電力より一定量（例えば１ｄＢ）だけ大きい値とする。または、無線パラメータであるアンテナのチルト角を、俯角方向で現在より一定角度（例えば１度）だけ小さい値とする。さらに、増設地点の情報が入力されている場合には、増設地点の無線基地局のセクタの無線パラメータが示すアンテナのチルト角および送信電力の各々の値を、周囲の無線基地局のセクタの無線パラメータの平均値とする。【０１０４】  続いて、シミュレータ１２ａは、変更データが示す変更を施した無線ネットワークにおける予測トラフィック量と予想回線利用率と予想呼損率で構成される予測トラフィックデータを算出する（ステップＳ０７）。【０１０５】  現トラフィック収入計算部１２ｂ１は、現在のトラフィックデータを入力として、その現在のトラフィックデータが示す現在のトラフィック量によって得られる収入を計算する。例えば、現トラフィック収入計算部１２ｂ１は、１年間に得られる収入を計算する（ステップＳ０８）。【０１０６】  予測トラフィック計算部１２ｂ２は、予測トラフィックデータを入力として、その予測トラフィックデータが示す予測トラフィック量によって得られる予測収入を計算する。例えば、予測トラフィック計算部１２ｂ２は、１年間に得られる予測収入を計算する（ステップＳ０９）。【０１０７】  無線パラメータ変更費用計算部１３ａは、無線パラメータ変更部１１ｂが出力する変更した無線パラメータの情報を入力として、その入力に基づき、無線パラメータを変更するのに必要な諸費用を計算する。例えば、無線パラメータ変更費用計算部１３ａは、無線パラメータを変更するのに必要な１年あたりの支出を計算する（ステップＳ１０）。【０１０８】  無線基地局増設費用計算部１３ｂは、無線基地局の増設地点の情報を入力として、その地点へ無線基地局を増設するために必要な費用を計算する。例えば、無線基地局増設費用計算部１３ｂは、無線基地局の増設に必要な１年あたりの支出を計算する（ステップＳ１１）。【０１０９】  収支計算部１４は、現在のトラフィック収入と予測トラフィック収入の差をとることで、収容トラフィックの増加による「増加収入」を求める。また、収支計算部１４は、無線基地局の増設費用の支出と無線パラメータの変更費用の支出との和をとることで、無線基地局の増設や無線パラメータ変更による「増加支出」を求める。【０１１０】  そして、収支計算部１４は、無線基地局の増設と無線パラメータ変更による増加支出を、これまで発生していた支出に加えることで、無線基地局の増設や無線パラメータ変更後の「支出」を求める。なお、これまで発生していた支出は、収支計算部１４が記憶しているものとする。
さらに、収支計算部１４は、求めた上記の「収入」から「支出」を減ずることで、「利益」を計算し、さらに利益を支出で割ることで「利益率」を求める（ステップＳ１２）。【０１１１】  収支計算部１４は、利益率、利益、収入、増加収入、支出、増加支出、無線基地局の増設地点および変更した無線パラメータをあわせて表示部１６へ出力する。表示部１６は、収支計算部１４の出力に基づいた表示を行う（ステップＳ１３）。【０１１２】  以下、変更データを変えながら図６に示した動作を繰り返す。【０１１３】  図１１は、表示部１６の表示の一例を示した説明図である。なお、表示部１６による表示は、図１１に限るものではない。【０１１４】  図１１に示すように、無線基地局の増設や無線パラメータの変更を施すことで、利益率がどれほど大きくなるかが示される。【０１１５】  なお、図１１に示した例では、利益率が最大となる場合を最適と表示している。利益率を示している右隣の欄に、順番に、利益、収入、増加収入、支出、増加支出を表示している。また、右端の欄に無線基地局の増設地点や変更した無線パラメータの情報をファイルとして表示している。【０１１６】  また、無線ネットワーク最適化支援システム１は、コンピュータ読み取り可能な記録媒体としてのメモリとコンピュータとしてのＣＰＵを含む構成でもよい。この場合、無線ネットワーク最適化支援システム１の構成要素となるメモリには、無線ネットワーク最適化支援システム１が実行する上述した無線ネットワーク変更支援方法をＣＰＵに実行させるプログラムが記録され、無線ネットワーク最適化支援システム１の構成要素となるＣＰＵは、メモリに記録されたプログラムを読み取り、読み取ったプログラムに従って上述した無線ネットワーク変更支援方法を実行する。【０１１７】  また、無線ネットワーク最適化支援システム１の構成要素となるメモリに記録されたプログラムは、光ディスク等のコンピュータ読み取り可能な記録媒体に記録されていてもよい。この場合、光ディスク等の記録媒体に記録されたプログラムを読取り装置で読み取り、読み取ったプログラムを無線ネットワーク最適化支援システム１の構成要素となるメモリに記録することにより、無線ネットワーク最適化支援システム１が実行する上述した無線ネットワーク変更支援方法を無線ネットワーク最適化支援システム１の構成要素となるＣＰＵが実行可能となる。【０１１８】  本実施例は、無線基地局の増設地点の設定と無線基地局の無線パラメータ変更の設定を行い、それらの設定内容とそれらの設定によってもたらされる利益率、利益、収入および収支を併せて出力する。【０１１９】  そして、複数の変更データに対応する収支計算部の出力を得ることによって、利益率を最大化する基地局の増設地点や無線基地局の無線パラメータ変更の情報を得ることができる。【０１２０】  本実施例では、どの無線基地局のセクタにもカバーされていない場所（非カバーエリア）が広く、かつ、その非カバーエリアの周囲の各無線基地局のセクタにおけるトラフィック量が大きい場所を探索することで、無線基地局の増設地点の候補や無線パラメータ変更対象無線基地局を得る。【０１２１】  この処理は、非カバーエリアの周囲の各無線基地局の��クタにおけるトラフィック量が大きい場所を探索することで、トラフィック量が大きいと予想される非カバーエリアを探索している。【０１２２】  そうした場所に無線基地局を増設したり、基地局の無線パラメータを変更したりすることで、その場所をカバーエリアにすれば、トラフィック量が大きいと予想される非カバーエリアをカバーエリアにできる。その結果、さらに大きなトラフィックを収容でき、利益率を大きくすることができる。【０１２３】  また、本実施例では、各無線基地局のセクタにおけるトラフィック量、回線利用率、呼損率などのトラフィックデータに基づき（具体的には、回線利用率が所定値以上または呼損率が所定値以上の場合）、収容できていないトラフィック量が大きいと予想される場所（無線基地局のセクタ）を探索することで、無線基地局の増設地点の候補や無線パラメータ変更対象無線基地局を得ている。【０１２４】  すなわち、収容できていないトラフィック量が大きいと予想される場所へ無線基地局を増設したり、収容できていないトラフィック量が大きいと予想される場所の無線基地局の無線パラメータを変更したりすることで、収容できていなかったと思われるトラフィックを収容することが可能となる。その結果、さらに大きなトラフィックを収容でき、利益率を大きくすることができる。【０１２５】  なお、本実施例において、増設地点探索部１１ａ１が無線基地局の増設地点を探索する際に行う１番目の処理と２番目の処理とを行う順番は、適宜変更可能である。また、増設地点探索部１１ａ１は、無線基地局の増設地点を探索する際に、１番目の処理と２番目の処理のいずれか一方のみを行うようにしてもよい。【０１２６】  また、本実施例において、変更対象探索部１１ｂ１が無線パラメータを変更する無線基地局の探索する際に行う１番目の処理と２番目の処理と３番目の処理とを行う順番は、適宜変更可能である。また、変更対象探索部１１ｂ１は、無線パラメータを変更する無線基地局の探索する際に、１番目の処理と２番目の処理と３番目の処理のいずれか一方のみを行うようにしてもよい。【０１２７】  以上説明した実施例において、図示した構成は単なる一例であって、本発明はその構成に限定されるものではない。【０１２８】  本発明によれば、変更データが示す変更を無線ネットワークに施した際の無線事業者の利益および利益率を算出することが可能となり、利益率を大きくする無線ネットワークの変更データを得ることができる。その結果、利益率を大きくする無線ネットワークの変更データを提案できる。【０１２９】  また、変更データとして、無線基地局の増設地点または無線基地局の無線パラメータの変更を用いることにより、利益率を大きくする「基地局の増設地点」または「無線基地局の無線パラメータの変更」を提案可能となる。
【図面の簡単な説明】
【０１３０】［図１］図１は、従来の無線ネットワークの構成を示すブロック図である。
［図２］図２は、従来の他の無線ネットワークの構成を示すブロック図である。
［図３］図３は、従来の更に他の無線ネットワークの構成を示すブロック図である。
［図４］図４は、従来の別の無線ネットワークの構成を示すブロック図である。
［図５］図５は、本発明の無線ネットワーク変更支援システムの実施の形態の構成を示すブロック図である。
［図６］図６は、本発明の無線ネットワーク変更支援システムの実施の形態の動作を示すフローチャートである。
［図７］図７は、ステップＳ０２の詳細を示すフローチャートである。
［図８］図８は、増設地点探索部が行う探索を説明する図である。
［図９］図９は、ステップＳ０４の詳細を示すフローチャートである。
［図１０］図１０は、ステップＳ０５の詳細を示すフローチャートである。
［図１１］図１１は、図５に示した表示部の表示の一例を示す図である。
【図１】
0004737417.tif 000002
【図２】
0004737417.tif 000003
【図３】
0004737417.tif 000004
【図４】
0004737417.tif 000005
【図５】
0004737417.tif 000006
【図６】
0004737417.tif 000007
【図７】
0004737417.tif 000008
【図８】
0004737417.tif 000009
【図９】
0004737417.tif 000010
【図１０】
0004737417.tif 000011
【図１１】
0004737417.tif 000012